(57)【要約】      （修正有）【課題】金、白金ならびにイリジウムと同様に溶液に含まれる特定成分に対して電流出力を生じさせることができ、安価でかつ耐久性に優れた安価な電極を提供する。【解決手段】溶液中の特定成分の濃度を測定する電気化学測定装置３に用いられる作用電極９（電気化学測定装置用電極１）は、イリジウムとニッケルを含む合金が用いられており、作用電極９は溶液中に含まれる特定成分を検出可能に構成されている。【選択図】図１
2010060375.tif 000002
【特許請求の範囲】
【請求項１】
溶液中に含まれる特定成分を検出可能な組成となるようにイリジウムとニッケルを含有していることを特徴とする電気化学測定装置用電極。
【請求項２】
イリジウムとニッケルとを、過酸化水素に対して電流出力を生じさせることが可能な組成となるように含有した合金で構成されていることを特徴とする請求項１記載の電気化学測定装置用電極。
【請求項３】
前記合金は、イリジウムとニッケルの原子比率が５０：５０〜５：９５の範囲であることを特徴とする請求項１または２のいずれかに記載の電気化学測定装置用電極。
【請求項４】
前記合金は、イリジウムとニッケルの原子比率が４０：６０〜１０：９０の範囲であることを特徴とする請求項１または２のいずれかに記載の電気化学測定装置用電極。
【請求項５】
前記合金は、
イリジウム−ニッケル合金であることを特徴とする請求項２〜４のいずれかに記載の電気化学測定装置用電極。
【請求項６】
請求項１〜５のいずれかに記載の電気化学測定装置用電極を有することを特徴とする電気化学測定装置。
【請求項７】
請求項１〜５のいずれかに記載の電気化学測定装置用電極の表面に、固定化触媒層を設けてなることを特徴とするバイオセンサ用電極。
【請求項８】
前記固定化触媒層は、固定化酵素層であり、
前記固定化酵素層は、
前記特定成分を、過酸化水素に変換可能な少なくとも１つの種類の酵素を有し、
前記固定化酵素層が変換した過酸化水素を前記電気化学測定装置用電極が検出することにより、前記特定成分を検出することを特徴とする請求項７記載のバイオセンサ用電極。
【請求項９】
前記酵素は、
乳酸酸化酵素、グルコース酸化酵素、尿酸酸化酵素、尿素酸化酵素、アルコール酸化酵素、クレアチニナーゼ、クレアチナーゼ、サルコシンオキシダーゼのうちの少なくとも１つであることを特徴とする請求項８記載のバイオセンサ用電極。
【請求項１０】
前記固定化触媒層は、固定化抗体層であり、
前記固定化抗体層は、
前記特定成分と反応可能な少なくとも１つの種類の抗体を有し、
前記固定化抗体層中の前記抗体と前記特定成分との反応により生じる電流を、前記電気化学測定装置用電極が検出することにより、前記特定成分を検出することを特徴とする請求項７記載のバイオセンサ用電極。
【請求項１１】
前記抗体は、
ダイオキシン抗体、内分泌攪乱物質の抗体、残留農薬の抗体のいずれかであることを特徴とする請求項１０記載のバイオセンサ用電極。
【請求項１２】
前記固定化触媒層は、アプタマーを有する層であることを特徴とする、請求項７記載のバイオセンサ用電極。
【請求項１３】
前記アプタマーは、ＤＮＡアプタマー、ＲＮＡアプタマー、ペプチドアプタマーのいずれかであることを特徴とする請求項１２記載のバイオセンサ用電極。
【請求項１４】
前記アプタマーは、コカインアプタマー、トロンビンアプタマー、トリニトロトルエンアプタマーのいずれかであることを特徴とする請求項１２記載のバイオセンサ用電極。
【請求項１５】
前記電気化学測定装置用電極を保持する絶縁基板と、
前記電気化学測定装置用電極と前記固定化触媒層の間に設けられ、かつ前記電気化学測定装置用電極を覆うように、前記絶縁基板および電気化学測定装置用電極上に設けられた結合層と、
をさらに有することを特徴とする請求項７記載のバイオセンサ用電極。
【請求項１６】
請求項７〜１５のいずれかに記載のバイオセンサ用電極を有することを特徴とするバイオセンサ。
【請求項１７】
溶液中に含まれる特定成分を検出可能な組成となるようにイリジウムとニッケルを含む合金を、アーク放電法、蒸着法、スパッタリング法のいずれかで製造する工程を有することを特徴とする電気化学測定装置用電極の製造方法。
【請求項１８】
前記工程は、イリジウムとニッケルとを、過酸化水素に対して電流出力を生じさせることが可能な組成となるように含有した合金を製造する工程であることを特徴とする請求項１７記載の電気化学測定装置用電極の製造方法。
【請求項１９】
前記工程は、イリジウムとニッケルの原子比率が５０：５０〜５：９５の範囲である合金を製造する工程であることを特徴とする請求項１７または１８のいずれかに記載の電気化学測定装置用電極の製造方法。
【請求項２０】
前記合金は、イリジウムとニッケルの原子比率が４０：６０〜１０：９０の範囲である合金を製造する工程であることを特徴とする請求項１７または１８のいずれかに記載の電気化学測定装置用電極の製造方法。
【請求項２１】
請求項１〜５のいずれかに記載の電気化学測定装置用電極の表面に固定化触媒層を設ける工程を有することを特徴とするバイオセンサ用電極の製造方法。
【請求項２２】
前記工程は、
固定化触媒層として、前記特定成分を、過酸化水素に変換可能な少なくとも１つの酵素を前記電気化学測定装置用電極の表面に固定して固定化酵素層を設ける工程であることを特徴とする請求項２１記載のバイオセンサ用電極の製造方法。
【請求項２３】
前記工程は、
乳酸酸化酵素、グルコース酸化酵素、尿酸酸化酵素、尿素酸化酵素、アルコール酸化酵素、クレアチニナーゼ、クレアチナーゼ、サルコシンオキシダーゼのうち、少なくとも１つを前記電気化学測定装置用電極の表面に固定して固定化酵素層を設ける工程であることを特徴とする請求項２２記載のバイオセンサ用電極の製造方法。
【請求項２４】
前記工程は、
固定化触媒層として、前記特定成分と反応可能な少なくとも１つの抗体を前記電気化学測定装置用電極の表面に固定して固定化抗体層を設ける工程であることを特徴とする請求項２１記載のバイオセンサ用電極の製造方法。
【請求項２５】
前記工程は、
ダイオキシン抗体、内分泌攪乱物質の抗体、残留農薬の抗体のうちのいずれかを前記電気化学測定装置用電極の表面に固定して固定化抗体層を設ける工程であることを特徴とする請求項２４記載のバイオセンサ用電極の製造方法。
【請求項２６】
前記工程は、
固定化触媒層として、前記特定成分と反応可能な少なくとも１つのアプタマーを前記電気化学測定装置用電極の表面に固定する工程であることを特徴とする請求項２１記載のバイオセンサ用電極の製造方法。
【請求項２７】
前記工程は、コカインアプタマー、トロンビンアプタマー、トリニトロトルエンアプタマーのうちのいずれかを前記電気化学測定装置用電極の表面に固定する工程であることを特徴とする請求項２６記載のバイオセンサ用電極の製造方法。
【請求項２８】
請求項６記載の電気化学測定装置を用い、電流検出方式により、溶液中の過酸化水素の濃度を測定することを特徴とする測定方法。
【請求項２９】
請求項１６記載のバイオセンサを用い、電流検出方式により、溶液中の特定成分の濃度を測定することを特徴とする測定方法。
【請求項３０】
少なくともサイクリックボルタンメトリ法とパルスボルタンメトリ法のいずれか一方の測定方法を実施することを特徴とする請求項２８または２９記載の測定方法。
【請求項３１】
前記パルスボルタンメトリ法は、ノーマルパルスボルタンメトリ法、微分パルスボルタンメトリ法、方形波ボルタンメトリ法のいずれかであることを特徴とする請求項３０記載の測定方法。
【発明の詳細な説明】
【技術分野】
【０００１】
本発明は、電気化学測定装置用電極および電気化学測定装置用電極を用いた電気化学測定装置、バイオセンサ用電極およびバイオセンサ用電極を用いたバイオセンサ、電気化学測定装置用電極の製造方法、バイオセンサ用電極の製造方法、電気化学測定装置を用いた測定方法、バイオセンサを用いた測定方法に関する。
【背景技術】
【０００２】
多種多様な溶液に含まれる各種成分の分析は、電極表面で生じる電気化学反応を測定する方法や、同反応と特定のタンパク質が持つ触媒反応とを組み合わせた測定方法が広く用いられている。
【０００３】
前述の例としては、洗浄液等に使用されている溶液中の過酸化水素濃度は、カーボン電極、あるいは白金等の貴金属電極を用い、印加時に得られる過酸化水素の酸化電流値を測定することによって算出することができる。
【０００４】
この理由は印加時に過酸化水素の濃度に応じた酸化電流が発生するためである。
【０００５】
後述の例としては、溶液中の化学物質を酵素の触媒機能により、過酸化水素に変換し、この過酸化水素を酸化還元反応により計測するバイオセンサが汎用化している。
【０００６】
具体的には、グルコースバイオセンサの場合、グルコースをグルコースオキシダーゼによって酸化すると、グルコノラクトンと過酸化水素が生成される。
【０００７】
生成される過酸化水素はグルコース濃度に比例することから、この過酸化水素の生成量を測定することによって試料中のグルコース量を定量することが可能になる。
【０００８】
この過酸化水素の生成量は、前述したように電極表面で生じる電気化学反応を測定することによって算出されている。
【０００９】
ここで、この種の電極においては、過酸化水素に対する酸化能力の高い材料として貴金属が使用される場合が多い。
【００１０】
例えば特許文献１の図１に示されている電極材料は、白金が好ましく用いられると記載されている（特許文献１）。
【００１１】
また、非特許文献１のＦｉｇｕｒｅ２に示されている作用極の材料は白金であり、両電極共に、過酸化水素に対する印加後の電流値を測定することによってグルコース量を測定するものであった（非特許文献１）。
【００１２】
さらに、非特許文献２で公開されている電極材料は酸化イリジウムである（非特許文献２）。
【００１３】
一方、貴金属以外の電極としては、例えば特許文献２に記載されているカーボン電極がある（特許文献２）。
【００１４】
また、この種の電極としてはアプタマーを用いたバイオセンサ用の電極として金が使用されている。
【００１５】
例えば、非特許文献３の図１には、コカインセンサーの電極として金を使用した旨記載されている。
【００１６】
【特許文献１】特開２００１−１１６７１６号公報
【特許文献２】実開平６−７０５７号公報
【非特許文献１】G.Piechotta,J.Albers and R.Hintsche”,Novel micromachined silicon sensor for continuous glucose monitoring”,Biosensors and Bioelectronics,Volume21,Issue5, Elsevier B.V,（Netherlands）,15 novemember 2005,p.802-808
【非特許文献２】Faming Tian and Guoyi Zhu,”Sol-gel derived iridium composite glucouse biosensor”,Sensors and Actuators B：Chemical,Elsevier B.V, （Netherlands）,Volume86,September 2002,p.266-270
【非特許文献３】Brian R. Baker, Rebecca Y. Lai, McCall S. Wood, Elaine H. Doctor, Alan J. Heeger, and Kevin W. Plaxco” An Electronic, Aptamer-Based Small-Molecule Sensor for the Rapid, Label-Free Detection of Cocaine in Adulterated Samples and Biological Fluids”,Journal of the American Chemical Society 128, 2006,  p3138-3139
【発明の開示】
【発明が解決しようとする課題】
【００１７】
特許文献１、非特許文献１、３のような金や白金を用いた電極は、過酸化水素の検出用電極およびそれを用いた電気化学測定装置やバイオセンサ用の電極としては有用である。
【００１８】
しかしながら、金や白金を電極材料に用いて製作された電流検出型の過酸化水素センサの場合においては、金や白金は希少金属であるために、非常に高価になってしまうという問題があった。
【００１９】
一方で、非特許文献２のように、イリジウムを電極材料に用いた場合、金や白金よりも安価であるものの、さらにコストを下げる工夫が要求されている。
【００２０】
他方で、特許文献２のようなカーボンを電極材料に用いて製作された同センサの場合においては、材料費が安価であるが、電極の安定性が低く、長期間の使用に耐えられないという問題があった。
【００２１】
この傾向は特に酵素電極に用いた場合顕著に認められ、安定して高い測定精度を維持することは極めて困難であった。
【００２２】
また、カーボン電極は貴金属と比べて損傷しやすいため、カーボンが剥離するなどの損傷が生じないような、慎重な取り扱いが要求されるという問題もあった。
【００２３】
本発明は上記理由に鑑みてなされたものであり、その目的は、金、白金、イリジウムならびにカーボンの代替材料を用いた電気化学測定装置用電極を提供することである。
【００２４】
より詳しくは、白金ならびにイリジウムと同様に溶液に含まれる特定成分に対して電流出力を生じさせることができ、安価でかつカーボンよりも耐久性に優れた安価な電気化学測定装置用電極、およびこれを用いて製作される電気化学測定装置、並びに電気化学測定装置用電極を用いたバイオセンサ用電極、バイオセンサ用電極を用いたバイオセンサを提供することである。
【００２５】
もしくはこれらと同様に抗体およびアプタマーが光源と反応する際の電子の授受を電流値として効率的に検出できるバイオセンサを提供することにある。
【課題を解決するための手段】
【００２６】
前述した目的を達成するために、第１の発明は、溶液中に含まれる特定成分を検出可能な組成となるようにイリジウムとニッケルを含有していることを特徴とする電気化学測定装置用電極である。
【００２７】
第２の発明は、第１の発明に記載の電気化学測定装置用電極を有することを特徴とする電気化学測定装置である。
【００２８】
第３の発明は、第１の発明に記載の電気化学測定装置用電極の表面に、固定化触媒層を設けてなることを特徴とするバイオセンサ用電極である。
【００２９】
第４の発明は、第３の発明に記載のバイオセンサ用電極を有することを特徴とするバイオセンサである。
【００３０】
第５の発明は、溶液中に含まれる特定成分を検出可能な組成となるようにイリジウムとニッケルを含む合金を、アーク放電法、蒸着法、スパッタリング法のいずれかで製造する工程を有することを特徴とする電気化学測定装置用電極の製造方法である。
【００３１】
第６の発明は、第１の発明に記載の電気化学測定装置用電極の表面に固定化触媒層を設ける工程を有することを特徴とするバイオセンサ用電極の製造方法である。
【００３２】
第７の発明は、第２の発明に記載の電気化学測定装置を用い、電流検出方式により、溶液中の過酸化水素の濃度を測定することを特徴とする測定方法である。
【００３３】
第８の発明は、第４の発明に記載のバイオセンサを用い、電流検出方式により、溶液中の特定成分の濃度を測定することを特徴とする測定方法である。
【発明の効果】
【００３４】
本発明によれば、金、白金、イリジウムならびにカーボンの代替材料を用いた電気化学測定装置用電極を提供することができる。
【発明を実施するための最良の形態】
【００３５】
以下、図面に基づいて本発明に好適な実施形態を詳細に説明する。
【００３６】
まず、図１を参照して、本発明の第１の実施形態に係る電気化学測定装置用電極１を有する電気化学測定装置３の構成を説明する。
【００３７】
ここでは、電気化学測定装置３として、溶液１５中に含まれる特定成分としての過酸化水素の濃度を測定する電気化学測定装置が例示されている。
【００３８】
図１に示された電気化学測定装置３は、溶液１５中の過酸化水素を酸化する作用電極９（電気化学測定装置用電極１）、電位の基準となる電極である参照電極５、および必要に応じて設けられる対極７を有している。
【００３９】
さらに、電気化学測定装置３は、測定の際の電位の印加等の制御および酸化電流を計測して過酸化水素濃度の測定を行う測定装置１３、各電極と測定装置１３を接続する配線１１を有している。
【００４０】
電気化学測定装置３は、作用電極９、対極７、参照電極５を過酸化水素を含む溶液１５中に浸漬し、測定装置１３を介して定電位を印加し、作用電極９の表面で過酸化水素が酸化される際に得られる酸化電流の値を測定することにより、溶液１５中の過酸化水素濃度を測定する装置である。
【００４１】
即ち、電気化学測定装置３は、電流検出方式により、溶液中の過酸化水素の濃度を測定する。
【００４２】
ここで、前述の通り、作用電極９は、金、白金ならびにイリジウムと同様に過酸化水素に対して効率よく電流出力を生じさせることができ、安価で、かつ、カーボンよりも耐久性に優れた構造、材料であることが望ましい。
【００４３】
上記問題に対して、発明者らは鋭意検討の結果、電極に、少なくともイリジウムとニッケルを含み、かつ、イリジウムとニッケルとを、過酸化水素に対して電流出力を生じさせることが可能な組成となるように含有した合金を用いることにより、白金やイリジウムのみを用いた電極よりも安価で、かつ、カーボンを用いた電極よりも耐久性に優れた電極とすることが可能であることを見出した。
【００４４】
以下、合金中の各物質についてより詳細に説明する。
【００４５】
イリジウムは、過酸化水素に対する高い酸化力を有し、かつ従来の作用電極の材料として用いられる白金と比べて、安価で加工性に優れた材料であり、かつカーボンよりも耐久性があり、溶液１５中の過酸化水素を酸化するために必須である。
【００４６】
ニッケルは白金やイリジウムと比べて安価な元素であり、かつ、カーボンよりも耐久性があり、必須である。
【００４７】
ここで、合金中のニッケルの含有率は、合金中のイリジウムとニッケルの原子比率が５０：５０〜５：９５の範囲であることが望ましく、４０：６０〜１０：９０の範囲であることがより望ましい。
【００４８】
上記組成範囲外では、十分な過酸化水素に対する選択性が得られなくなり、電位窓が狭まるという問題を生じる。
【００４９】
これは、イリジウムとニッケルの比率によって、酸化性や電位窓が影響を受けるためであると考えられる。
【００５０】
なお、合金をイリジウムとニッケルのみで構成してもよい。
【００５１】
上記合金は、例えばアーク放電法、蒸着法、スパッタリング法によって製造されるが、材料を無駄なく利用できる点において、アーク放電法によって製造されるのが好ましい。
【００５２】
なお、参照電極５としては公知の電極を用いることができ、例えばガラス複合電極が挙げられる。
【００５３】
また、対極７としても公知の電極を用いることができ、例えば白金電極が挙げられる。
【００５４】
ここで、電気化学測定装置３を用いた、溶液１５中の過酸化水素の濃度の測定方法について詳細に説明する。
【００５５】
まず、作用電極９、対極７、参照電極５を、過酸化水素を含まない溶液１５中に浸漬する。
【００５６】
各電極が溶液１５中に浸漬されると、測定装置１３を用いて定電位を印加し、電流値が定常状態になってから過酸化水素を添加する。
【００５７】
電位の印加により、作用電極９の表面では過酸化水素が酸化され、酸化電流が生じる。
【００５８】
測定装置１３は定常状態の電流値から酸化電流の差を元に、溶液１５中の過酸化水素濃度を算出する。
【００５９】
溶液１５に過酸化水素が添加された溶液としては、例えば食品製造に用いられる洗浄液が該当する。
【００６０】
なお、測定方法は上記方法に限定されるものではない。
【００６１】
測定法としては、サイクリックボルタンメトリ法、パルスボルタンメトリ法（ノーマルパルスボルタンメトリ法、微分パルスボルタンメトリ法、方形波ボルタンメトリ法を含む）等、種々の測定法を使用してもよい。好ましくは最も測定精度に優れた方形波ボルタンメトリ法が好ましい。
【００６２】
このように、第１の実施形態によれば、電気化学測定装置３は、作用電極９、対極７、参照電極５、測定装置１３を有し、作用電極９は、イリジウムとニッケルを含み、かつ、イリジウムとニッケルとを、過酸化水素に対して電流出力を生じさせることが可能な組成となるように含有した合金が用いられている。
【００６３】
そのため、作用電極９は、金、白金やイリジウムのみを用いた電極よりも安価で、かつ、カーボンを用いた電極よりも耐久性に優れており、金、白金、イリジウム、カーボン電極の代替電極として用いることができる。
【００６４】
次に、第２の実施形態について、図２を参照して説明する。
【００６５】
第２の実施形態は、第１の実施形態において、作用電極９ａを、表面が触媒機能を有する生体高分子を固定化した固定化触媒層６で覆われたバイオセンサ用電極４とし、装置全体をバイオセンサ３ａとしたものである。
【００６６】
なお、第２の実施形態において、第１の実施形態と同様の効果を奏する要素については同一の番号を付し、説明を省略する。
【００６７】
図２（ａ）に示すように、バイオセンサ３ａの構成は電気化学測定装置３と同様であるが、表面が固定化触媒層６で覆われた作用電極９ａ（バイオセンサ用電極４）を有している。
【００６８】
さらに、バイオセンサ３ａは、測定の際の電位の印加等の制御および酸化電流を計測して、測定対象物質の濃度を測定する測定装置１３ａを有している。
【００６９】
図２（ｂ）に示すように、バイオセンサ用電極４は、電気化学測定装置用電極１と、電気化学測定装置用電極１の表面に設けられた固定化触媒層６を有している。
【００７０】
電気化学測定装置用電極１の構造、組成は、第１の実施形態に係る電気化学測定装置用電極１と同様であり、イリジウムとニッケルを含み、かつ、イリジウムとニッケルとを、過酸化水素に対して電流出力を生じさせることが可能な組成となるように含有した合金が用いられている。
【００７１】
固定化触媒層６は、例えば固定化酵素層または固定化抗体層である。
【００７２】
固定化酵素層は、測定対象物質を過酸化水素に変換する酵素を含む層である。
【００７３】
固定化触媒層６が固定化酵素層の場合、バイオセンサ３ａは、固定化触媒層６の酵素が測定対象物質を過酸化水素に変換し、得られた過酸化水素が電気化学測定装置用電極１の表面で酸化される際に生じる酸化電流を測定することにより、溶液１５ａ中の測定対象物質の濃度を測定することができる。
【００７４】
即ち、バイオセンサ３ａは、電流検出方式により、溶液中の過酸化水素の濃度を測定することにより、溶液中の測定対象物質の濃度を測定することができる。
【００７５】
酵素としては、測定対象物質の触媒反応の生成物として過酸化水素を生成する、または酸素を消費する酵素である必要があり、測定対象物質に応じて乳酸酸化酵素、グルコース酸化酵素、尿酸酸化酵素、尿素酸化酵素、アルコール酸化酵素等が用いられる。
【００７６】
また、２種類以上の酵素を同時に用いてもよい。例えば、クレアチニナーゼ、クレアチナーゼ、およびサルコシンオキシダーゼがこれに該当する。
【００７７】
これらの酵素を用いることによってクレアチニンの検出が可能になる。
【００７８】
さらに、酵素と補酵素を含んでいてもよい。
【００７９】
酵素を電気化学測定装置用電極１の表面に固定する方法としては、公知の方法を用いることができるが、例えば架橋反応を利用したものが挙げられる。
【００８０】
具体的には、酵素溶液、グルタルアルデヒド等の蛋白質の架橋剤、およびアルブミン等のタンパク質を含む溶液を、電気化学測定装置用電極１の表面に滴下することにより電気化学測定装置用電極１の表面に酵素が固定され、固定化触媒層６としての固定化酵素層が形成される。
【００８１】
一方、固定化触媒層６が固定化抗体層の場合、抗体と溶液中の抗原とが反応する際に電子の授受が行われるため、バイオセンサ３ａは、その際に例えば方形波ボルタンメトリ測定を行うことにより、この電子の授受に起因して生じる電流を測定することができ、溶液中の特定物質の濃度を測定することができる。
【００８２】
抗体としては、測定対象物質に応じて、ダイオキシン抗体としてポリ塩化ジベンゾパラジオキシンの抗体、内分泌攪乱物質の抗体としてビスフェノールＡの抗体、残留農薬の抗体等としてジクロルホスの抗体が好ましく用いられる。
【００８３】
また、固定化触媒層６はアプタマーを有しても良い。
【００８４】
アプタマーはＤＮＡアプタマー、ＲＮＡアプタマー、ペプチドアプタマー等が挙げられる。
【００８５】
具体的にはコカインアプタマー、トロンビンアプタマー、トリニトロトルエンアプタマーなどが好ましく用いられる。
【００８６】
また、抗体やアプタマーの固定方法としては、例えば、電気化学測定装置用電極１の表面にチオール基を導入してから両者を固定する方法や、電気化学測定装置用電極１の表面にカルボキシル基を導入後、アミノカップリング薬処理後に抗体を固定化して、固定化抗体層を形成する方法が挙げられる。
【００８７】
なお、アプタマーを用いる場合はアプタマーの合成時にチオール基を導入しもよい。
【００８８】
このように合成することにより、合金表面にチオール基を形成する行程を省くことが可能になる。
【００８９】
なお、固定化触媒層６は酵素を含む場合、測定対象物質を過酸化水素に変換する機能を持つ構成、抗体やアプタマーを含む場合、特定の印加電位において電子の授受が発生し、出力として電流値を生じる構成であれば、特に限定されない。
【００９０】
ここで、バイオセンサ３ａを用いた溶液１５ａ中の測定対象物質の濃度の測定方法について詳細に説明する。
【００９１】
まず、作用電極９ａ、対極７、参照電極５を、測定対象物質を含まない溶液１５ａ中に浸漬する。
【００９２】
ここで、固定化触媒層６が固定化酵素層の場合は、各電極が溶液１５ａ中に浸漬されると、測定装置１３ａを介して定電位を印加し、定常状態になってから測定対象物質を添加する。
【００９３】
各電極が測定対象物質が添加された溶液１５ａ中に浸漬されると、溶液１５ａ中の測定対象物質は作用電極９ａの固定化酵素層と接触し、触媒反応により、過酸化水素に変換される。
【００９４】
得られた過酸化水素は、電位の印加により、作用電極９ａの電気化学測定装置用電極１の表面で酸化され、酸化電流が生じる。
【００９５】
測定装置１３ａは酸化電流から定常状態の電流値の差から過酸化水素濃度を算出する。
【００９６】
さらに、測定装置１３ａは測定した過酸化水素濃度をもとに、溶液１５ａ中の測定対象物質の濃度を測定する。
【００９７】
固定化触媒層２が固定化抗体層の場合は、各電極が溶液１５ａ中に浸漬されると、抗体と測定対象物質が反応するため、測定装置１３ａを介して、例えば方形波ボルタンメトリ法にて、反応により得られる電流値を測定し、電流値をもとに、溶液１５ａ中の測定対象物質の濃度を測定する。
【００９８】
なお、測定法は方形波ボルタンメトリ法に限定されるものではない。
【００９９】
例えばボルタンメトリ法としてはノーマルパルスボルタンメトリ法、微分パルスボルタンメトリ法等を用いても良いし、あるいはサイクリックボルタンメトリ法を用いてもよいが、高い測定精度を得られるという点で方形波ボルタンメトリ法が好ましい。
【０１００】
このように、第２の実施形態によれば、バイオセンサ３ａは、作用電極９ａ、対極７、参照電極５、測定装置１３ａを有し、作用電極９ａの電気化学測定装置用電極１は、イリジウムとニッケルを含む合金が用いられており、上記合金は過酸化水素に対して電流出力を生じさせることが可能な組成となっている。
【０１０１】
そのため、第１の実施形態と同様の効果を奏する。
【０１０２】
次に、第３の実施形態について図３および図４を参照して説明する。
【０１０３】
第３の実施形態におけるバイオセンサ３ｂは、第２の実施形態において、電気化学測定装置用電極１を絶縁基板２３上に設け、電気化学測定装置用電極１と固定化触媒層６の間に結合層２４をさらに設けて作用電極２５ａ（バイオセンサ用電極４ａ）を構成したものである。
【０１０４】
図３および図４に示すように、作用電極２５ａ（バイオセンサ用電極４ａ）は絶縁基板２３、絶縁基板２３の表面に設けられた電気化学測定装置用電極１を有している。
【０１０５】
また、図４に示すように、作用電極２５ａ（バイオセンサ用電極４ａ）は、図４における電気化学測定装置用電極１の上方に固定化触媒層６が設けられている。
【０１０６】
さらに、作用電極２５ａは、電気化学測定装置用電極１と固定化触媒層６の間に設けられ、かつ電気化学測定装置用電極１を覆うように絶縁基板２３および電気化学測定装置用電極１上に設けられた結合層２４を有している。
【０１０７】
結合層２４上には、固定化触媒層６が設けられている。
【０１０８】
なお、電気化学測定装置用電極１、固定化触媒層６、結合層２４で電極部１０を構成している。
【０１０９】
絶縁基板２３は電極部１０を保持する部材であり、耐水性、耐熱性、耐薬品性、絶縁性および電気化学測定装置用電極１との密着性に優れた材料であることが好ましい。
【０１１０】
このような要件を満たす材料としては、例えばセラミックス、ガラス、石英、プラスチックスが挙げられる。
【０１１１】
結合層２４は、固定化触媒層６と絶縁基板２３および電気化学測定装置用電極１との密着性（結合性）を向上させるために設けられるものである。
【０１１２】
また、結合層２４は、絶縁基板２３の表面のぬれ性を改善し、固定化触媒層６を形成する際の膜厚の均一性を向上させる効果も有している。
【０１１３】
結合層２４を構成する材料としては、例えばシランカップリング剤が挙げられる。
【０１１４】
シランカップリング剤の種類としては、アミノシラン、ビニルシラン、エポキシシランが挙げられるが、このうち、密着性の観点から、アミノシランの一種であるγ−アミノプロピルトリエトキシシランがより好ましい。
【０１１５】
結合層２４は例えばシランカップリング剤溶液をスピンコートすることにより絶縁基板２３および電気化学測定装置用電極１上に形成することができる。
【０１１６】
この際、シランカップリング剤濃度は１ｖ／ｖ％（体積／体積％）程度とすることが好ましい。この濃度であれば、アルコキシル基が十分に水和し、十分な密着性が発揮されるからである。
【０１１７】
なお、図４では一枚の絶縁基板２３上に１つの電極部１０が設けられているが、一枚の絶縁基板２３上に複数の電極部１０を設けてもよい。
【０１１８】
また、図３では対極７および参照電極５も別々の絶縁基板２３上に形成されているが、全ての電極を一枚の絶縁基板２３上に形成してもよい。
【０１１９】
ここで、作用電極２５ａの製造方法について、簡単に説明する。
【０１２０】
まず、絶縁基板２３上に、電気化学測定装置用電極１を蒸着法、またはスパッタリング法等を用いて設ける。
【０１２１】
次に、絶縁基板２３および電気化学測定装置用電極１上に、電気化学測定装置用電極１を覆うようにして結合層２４をスピンコートにより設ける。
【０１２２】
次に、結合層２４上に、酵素溶液、グルタルアルデヒド等の蛋白質の架橋剤、およびアルブミンを含む溶液を、滴下することにより固定化触媒層６としての固定化酵素層が形成され、作用電極２５ａが完成する。
【０１２３】
なお、バイオセンサ３ｂを用いた、溶液中１５ａ中の測定対象物質の濃度の測定方法については、第２の実施形態と同様であるため、説明を省略する。
【０１２４】
このように、第３の実施形態によれば、バイオセンサ３ｂは、作用電極２５ａ、対極７、参照電極５、測定装置１３ａを有し、作用電極２５ａの電気化学測定装置用電極１は、イリジウムとニッケルを含む合金が用いられており、上記合金は過酸化水素に対して電流出力を生じさせることが可能な組成となっている。
【０１２５】
そのため、第２の実施形態と同様の効果を奏する。
【０１２６】
また、第３の実施形態によれば、作用電極２５ａは、電気化学測定装置用電極１を絶縁基板２３上に設け、電気化学測定装置用電極１と固定化触媒層６の間に結合層２４をさらに設けた構造を有している。
【０１２７】
そのため、第２の実施形態と比較して、固定化触媒層６と電気化学測定装置用電極１との密着性（結合性）を向上させることができ、また、固定化触媒層６を形成する際の膜厚の均一性を向上させることができる。
【実施例】
【０１２８】
次に、具体的な実施例に基づき、本発明をさらに詳細に説明する。
【０１２９】
（実施例１）
図１に示す電気化学測定装置３をイリジウム−ニッケル合金の電極を用いて作製し、指示電解質溶液に対するサイクリックボルタンメトリ測定を行い、イリジウムおよびニッケルのみで構成された電極を用いた場合と比較した。
【０１３０】
まず、作用電極９（電気化学測定装置用電極１）の製作を以下のように行った。
【０１３１】
はじめに、イリジウムパウダとニッケル（共にフルウチ化学社製）を用意し、アーク放電によってイリジウム−ニッケル合金およびイリジウム、ニッケル単体のサンプルを製造した。
【０１３２】
具体的には、イリジウムとニッケルの原子比率が１００：０、９５：５、７５：２５、５０：５０、２５：７５、０：１００の６種類のサンプルを製造した。
【０１３３】
次に、製造したサンプルを、プリント配線が施されたフレキシブル基板に接着剤を用いて固定化し、ワイヤボンデングによって結線した後、信越化学社製のシリコーン封止剤で防水処理を施し、作用電極９（電気化学測定装置用電極１）とした。
【０１３４】
なお、作用電極９の電極面積は８ｍｍ２（８×１０−６ｍ２）とした。
【０１３５】
次に、参照電極５として既存のガラス複合電極（東亞ディーケーケー（株）社製、ＧＳＴ−５７４１Ｃ）を用意し、対極７として既存の白金電極（ＢＡＳ社製、００２２３３）を用意した。
【０１３６】
次に、溶液１５として、指示電解質溶液（１００ｍＭ（１００ｍｏｌ／ｍ３）のエヌ−トリス（ハイドロキシ−メチル）−メチル−２−アミノエタンサルフォニックアシッド（同仁化学研究所製ｐＨ緩衝液、ｐＨを７に調整済み、１５０ｍＭ（１５０ｍｏｌ／ｍ３）の塩化ナトリウム（和光純薬工業社製）を含む）を用意し、溶液１５に作用電極９、参照電極５、対極７を浸漬し、配線１１を通じてこれらの電極を測定装置１３としてのＩｖｉｕｍ社製ＣｏｍｐａｃｔＳｔａｔに接続し、電気化学測定装置３を作製した。
【０１３７】
測定は指示電解質溶液に対するサイクリックボルタンメトリ測定を行った。
【０１３８】
測定条件は−０．３Ｖ〜＋１．２Ｖの範囲を０．０１Ｖ／ｓで１回掃引するものである。
【０１３９】
得られた結果を図５に示す。
【０１４０】
図５に示すように、イリジウムとニッケルの原子比率が２５：７５のときに電位窓が最も拡大することが確認された。
【０１４１】
以上の結果から、イリジウムの含有量を減らし、その分、価格の安いニッケルを添加できるため低コストで過酸化水素を検出可能（過酸化水素に対して電流出力を生じさせることが可能）な電極を提供できることがわかった。
【０１４２】
（実施例２）
イリジウムとニッケルの原子比率が１００：０（イリジウム単体）、２５：７５、および白金単体の電極をそれぞれ実施例１と同様に製作し、同様に作用電極９として実験に供試した。なお、白金電極の白金はフルウチ社製の白金ワイヤを用いた。
【０１４３】
次に、参照電極として既存のガラス複合電極（東亞ディーケーケー（株）社製、ＧＳＴ−５７４１Ｃ）、と対極として既存の白金電極（ＢＡＳ社製、００２２３３）を用意した。
【０１４４】
続いて、実施例１の指示電解質に終濃度として２．４７ｍＭ（２．４７ｍｏｌ／ｍ３）の過酸化水素（関東化学社製）および１０ｍＭ（１０ｍｏｌ／ｍ３）のアスコルビン酸（和光純薬工業社製）に対する定電位測定を行った。測定は前述の作用電極９を前述の指示電解質に浸漬し、０．７Ｖの電位を印加後、定常状態となるまで放置した（約５分間）。
【０１４５】
その後、終濃度として前述の濃度となるように過酸化水素ならびにアスコルビン酸をそれぞれ添加した。
【０１４６】
応答電流値は過酸化水素ならびにアスコルビン酸から得られる電流値から定常状態の電流値の差とした。結果を図６に示す。
【０１４７】
図６のグラフは縦軸にマイクロアンペアの応答電流値が、横軸に作用電極９の組成がそれぞれ示されている。
【０１４８】
その結果、本実施例のイリジウム−ニッケル合金の作用電極９は、イリジウム単体および白金単体と同様に過酸化水素とアスコルビン酸に反応することがわかった。
【０１４９】
即ち、ニッケルを添加することにより、過酸化水素およびアスコルビン酸の応答電流値が増加することがわかった。
【０１５０】
以上の結果から、イリジウムとニッケルの合金が、アンペロメトリック型のバイオセンサの電極として白金を用いた電極と同等に好適に使用できることがわかった。
【０１５１】
（実施例３）
実施例２で用いた電極のうち、イリジウムとニッケルの原子比率が２５：７５の電極を用意し、０．１Ｍ（１００ｍｏｌ／ｍ３）の硫酸ナトリウム溶液中で電気化学クリーニングを行った。
【０１５２】
クリーニング条件は−１．５Ｖ〜＋１．５Ｖの範囲を０．５Ｖ／ｓで１００回掃引するものである。
【０１５３】
続いて、純水で１ｖ／ｖ％に希釈したガンマ−アミノプロピルトリエトキシシラン（信越化学社製）を電極表面にスピンコートし、１１０℃で乾燥させた。
【０１５４】
続いて、前出した指示電解質溶液で調整した牛アルブミン溶液（和光純薬工業社製）と純水で０．５ｖ／ｖ％に調整したグルタルアルデヒド溶液（アルドリッチ社製）、および３７６．７Ｕ／μｌに調整したグルコース酸化酵素を混合し、すみやかに同様にスピンコートし、グルコース酵素センサ（バイオセンサ用電極）を製作した。
【０１５５】
続いて、終濃度として１０ｍｇ／ｄｌ（０．１×１０−３ｋｇ／ｌ）グルコース（和光純薬工業社製）に対する定電位測定を行った。
【０１５６】
測定はグルコース酵素センサを作用極、既存のガラス複合電極（東亞ディーケーケー（株）社製、ＧＳＴ−５７４１Ｃ）を参照電極、そして既存の白金電極（ＢＡＳ社製、００２２３３）を対極とする３電極法で実施した。
【０１５７】
具体的には、これらの電極を指示電解質に浸漬し、０．７Ｖの電位を印加後、定常状態となるまで放置した（約５分間）。
【０１５８】
その後、終濃度として前述の濃度となるようにグルコース溶液を添加した。
【０１５９】
グルコースの添加後に得られる電流値から定常状態の電流値の差とした。
【０１６０】
なお、印加電位は０．７Ｖとした。
【０１６１】
上記測定を１０回繰り返し、以下の式を用いて繰り返し再現性の値を計算し、比較を行った。
【０１６２】
繰り返し再現性の値（％）＝（電流値の標準偏差／電流値の平均値）×１００…（式）
【０１６３】
その結果、繰り返し再現性は、４％以下を示し、酵素が電極表面に強固に固定され、酵素のセンサ特性の低下が全く生じないことが示された。
【０１６４】
（実施例４）
初めに実施例２で記載したイリジウムとニッケル比が２５：７５の電極を用意し、０．１Ｍの硫酸ナトリウム溶液中で電気化学クリーニングを行った。
【０１６５】
クリーニング条件は−１．５Ｖ〜＋１．５Ｖの範囲を０．５Ｖ／ｓで１００回掃引するものである。
【０１６６】
続いて、シグマ（株）製の、以下の配列のアプタマーを用意した。
【０１６７】
配列：5’-HS-（CH2）6-TAAGTTCATCTCCCCGGTTGGTGTGGTTGGT-（CH2）3-MB-3’
【０１６８】
このアプタマーはトロンビンに応答するアプタマーである。
【０１６９】
続いて、pHを７．４に調整した１００ｍＭ（１００ｍｏｌ／ｍ３）のトリスバッファー中に０．１μＭ（０．１ｍｏｌ／ｍ３）の前述のアプタマーと０．１μＭ（０．１ｍｏｌ／ｍ３）のトリス−（２−カルボキシメチル）ホスフィンハイドロクロライドを溶解させた溶液に、前述の電極を約２０時間の浸漬させた。
【０１７０】
続いて、１ｍＭ（１ｍｏｌ／ｍ３）の６−メルカプトヘキサノールに前述の電極を３時間浸漬し、その後トリスバッファーで十分に洗浄し、トロンビンアプタマー電極とした。
【０１７１】
測定はこのアプタマー電極を作用極、実施例３の参照極と対極とした３電極によるＡＣボルタンメトリ法で行った。
【０１７２】
その結果、実施例３の指示電解質に溶解させたトロンビンに対し、−０．２６Ｖ付近に電流値のピークを持つ電流電位曲線を示した。
【０１７３】
また、得られる電流値はトロンビン濃度と比例することもわかった。
【０１７４】
以上の結果から、イリジウム−ニッケル電極はアプタマー電極のトランスデューサとして適用できる材料であることがわかった。
【０１７５】
（実施例５）
初めにイリジウムとニッケルの原子比率が２５：７５の電極をアーク放電法で製作し、ガラス基板上に接着剤で固定した。次に、電極基板と結線し、シリコーンシール材で封止した。
【０１７６】
電極面積は４．９ｍｍ２（４．９×１０−６ｍ２）であった。
【０１７７】
続いて、０．１Ｍ（１００ｍｏｌ／ｍ３）の硫酸ナトリウム溶液中で電気化学クリーニングを行った。
【０１７８】
クリーニング条件は−１．５Ｖ〜＋１．５Ｖの範囲を０．５Ｖ／ｓで１００回掃引するものである。
【０１７９】
続いて、自己組織化単分子膜用のチオール分子としてＭＵＡ(11-メルカプトウンデカン酸)を少量のエタノールに溶解させ、最終濃度が１ｍＭとなるように蒸留水で調製した。
【０１８０】
次に、この溶液の１ｍｌを電極表面に滴下し、約１時間静置後、エタノールで洗浄した。
【０１８１】
続いて、内乱攪乱物質の一つであるビスフェノールＡのモノクローナル抗体（コスモ・バイオ（株）社製）を２００マイクログラム／ｍｌ（ｐＨ７．４の10ｍＭ（１０ｍｏｌ／ｍ３）のリン酸緩衝液と、０．２ｗ／ｖ％の牛血清アルブミンと、０．０９ｗ／ｖ％アジ化ナトリウムを含む）を４０マイクロリットル分注し、電極表面に滴下した。
【０１８２】
そして、１時間室温下で乾燥させた後、１ｗ／ｖ％のポリビニルアルコール中に１時間浸漬し、さらに、１時間室温下で乾燥させた。
【０１８３】
この電極を作用極とし、実施例３の参照極と対極とした３電極による方形波ボルタンメトリ法で溶液中のビスフェノールＡに対する応答電流を測定した。
【０１８４】
測定条件は０．１−１．２Ｖ掃引範囲、４０ｍＶのパルス電位、４Ｈｚの周波数、１０ｍＶのステップ電位である。
【０１８５】
その結果、１ｐｐｂのビスフェノールＡに対してμＡオーダーの応答電流が得られることを確認した。
【０１８６】
以上のように、本発明によれば、金、白金電極またはイリジウム単体の電極（もしくはカーボン電極）の代替材料としてイリジウム−ニッケル合金の電極が適用できることがわかった。
【０１８７】
また、この電極を用いてバイオセンサ用電極を製作した場合、金、白金電極またはイリジウム単体の電極（もしくはカーボン電極）と同様に測定できるバイオセンサを提供できることもわかった。
【産業上の利用可能性】
【０１８８】
上記した実施形態および実施例では、イリジウムとニッケルを含有する電極を、過酸化水素濃度を測定する電気化学測定装置３に適用した場合について説明したが、本発明は、何等、これに限定されることなく、イリジウムとニッケルを含有する電極に対して選択的酸化性を有する全ての物質の濃度の測定装置に適用できる。
【図面の簡単な説明】
【０１８９】
【図１】電気化学測定装置３を示す模式図である。
【図２】図２（ａ）は、バイオセンサ３ａを示す模式図であって、図２（ｂ）は、図２（ａ）の作用電極９ａ（バイオセンサ用電極４）の縦断面図を示す図である。
【図３】バイオセンサ３ｂを示す模式図である。
【図４】図３のバイオセンサ用電極４ａのＡ方向から見た断面図である。
【図５】実施例１の実験結果を示す図である。
【図６】実施例２の実験結果を示す図である。
【符号の説明】
【０１９０】
１…………電気化学測定装置用電極
３…………電気化学測定装置
３ａ………バイオセンサ
３ｂ………バイオセンサ
４…………バイオセンサ用電極
５…………参照電極
６…………固定化触媒層
７…………対極
９…………作用電極
１１………配線
１３………測定装置
１５………溶液
２３………絶縁基板
２４………結合層
【図１】
2010060375.tif 000003
【図２】
2010060375.tif 000004
【図３】
2010060375.tif 000005
【図４】
2010060375.tif 000006
【図５】
2010060375.tif 000007
【図６】
2010060375.tif 000008